(57)【要約】      （修正有）【課題】時計ムーブメントの小型化に対応しつつ、耐衝撃性のあるアンテナの保持構造を備える電波時計を提供する。【解決手段】アンテナ５が時計ムーブメント外周付近に配置された時計において、アンテナ５は、アンテナ巻枠６ｂに時計ムーブメントへの位置決めのための固定突起部と、時計ムーブメント外周方向に形成された緩衝突起部１３ａ、１３ｂを有する。緩衝突起部１３ａ、１３ｂは時計ケース２との間に隙間１９ａ、１９ｂを持って形成され、衝撃時に前記固定突起部の変形が発生した場合のみ時計ケース２に接触し変形を規制することで、衝撃によるアンテナ５の破壊を回避することが出来る。【選択図】図２
2016173240.tif 000002
【特許請求の範囲】
【請求項１】
アンテナを配置した時計ムーブメントと、
前記時計ムーブメントを収納する時計ケースを備え、
前記アンテナが前記時計ムーブメントの外周付近に配置された電波時計において、
前記アンテナは、前記時計ムーブメントの外周方向に向かって形成された緩衝突起部を有する
ことを特徴とする電波時計。
【請求項２】
前記緩衝突起部と前記時計ケースとの間に隙間を有する
ことを特徴とする請求項１に記載の電波時計。
【請求項３】
前記アンテナは、アンテナコアと、コア中央部に当該コアの長手方向と直交する方向にコイル状に巻回された巻線と、コア端部に配置されコイル端部を支持するコイル支持面を持つアンテナ巻枠とを備え、
前記緩衝突起部は、前記アンテナ巻枠に設置される
ことを特徴とする請求項１又は２に記載の電波時計。
【請求項４】
前記アンテナ巻枠に、前記アンテナを前記時計ムーブメントに固定するための固定部を有することを特徴とする請求項３に記載の電波時計。
【請求項５】
前記アンテナ巻枠は、樹脂材料からなるとともに、
前記固定部及び前記緩衝突起部が前記アンテナ巻枠と一体に形成されている
ことを特徴とする請求項４に記載の電波時計。
【請求項６】
前記緩衝突起部は、前記アンテナ巻枠と異なる材料で形成されている
ことを特徴とする請求項３から５のいずれか１つに記載の電波時計。
【請求項７】
前記緩衝突起部は、前記時計ムーブメントの外周方向に向かって、平面視で台形形状となっている
ことを特徴とする請求項１から６のいずれか１項に記載の電波時計。
【請求項８】
前記緩衝突起部は、半球形状である
ことを特徴とする請求項１から６のいずれか１項に記載の電波時計。
【発明の詳細な説明】
【技術分野】
【０００１】
本発明は、時計ムーブメントに対してアンテナを保持する電波時計の構造に関する。
【背景技術】
【０００２】
時計ムーブメントに対してアンテナを保持する電波時計の構造が記載された特許文献として、例えば特許文献１と特許文献２がある。以下、特許文献に添付されている図面を使用して、時計ムーブメントに対するアンテナの保持構造を説明する。
はじめに、特許文献１におけるアンテナ保持構造を説明する。
時計ケース本体の内周面と時計ムーブメントの外周面との間に配置され、衝撃緩衝部材を設けた環状のアンテナブ支持部材にアンテナを配置する。この構造により、時計ケースが外部から衝撃を受けた際に、衝撃緩衝部材による衝撃緩衝作用により時計ムーブメントおよびアンテナを緩衝保護することができる。
次に、特許文献２のアンテナ保持構造を説明する。
アンテナはコアと、コアの長手方向の中央部に巻回された巻線と、それらを収容し地板に固定する非導電性材料製の枠体からなる。枠体は、巻線部及びコアの両端部を収容する凹部部分並びに両端部にあって地板に取付けられる端部取付け部を有する。アンテナは枠体内にコア及び巻線を収容し枠体を地板に位置決めするため、地板や枠体にかかる衝撃が緩和された状態でコア及び巻線に伝わるためアンテナの破損を抑えることができる。
【先行技術文献】
【特許文献】
【０００３】
【特許文献１】特開２０１１−１０９３０４号公報（図６）
【特許文献２】特開２００６−２３７７４４号公報（図２）
【発明の概要】
【発明が解決しようとする課題】
【０００４】
ここで、女性向け電波時計などの小型な時計や多針表示を行う多機能時計においては、アンテナに使用できる平面スペースが限られているため、アンテナの小型化の必要がある。しかしながら、特許文献１及び特許文献２の時計において、アンテナの小型化を行った場合、緩衝部材(特許文献１)や枠体(特許文献２)の小型化、薄型化を図る必要があり、その結果、耐衝撃性が低下するという問題点がある。
本発明の目的は、上記した課題を解決して、小型な時計に対応可能で、時計に衝撃が加わった場合にアンテナの破壊が生じない耐衝撃性を備えたアンテナの保持構造を備える電波時計を提供することである。
【課題を解決するための手段】
【０００５】
上記目的を達成するために、本発明の電波時計は、アンテナを配置した時計ムーブメントと、前記時計ムーブメントを収納する時計ケースを備え、前記アンテナが前記時計ムーブメントの外周付近に配置された電波時計において、前記アンテナは、前記時計ムーブメントの外周方向に向かって形成された緩衝突起部を有することを特徴とする。
【発明の効果】
【０００６】
電波時計ムーブメントのアンテナは、アンテナをムーブメントの外周付近に配置することでその他の部品を時計ムーブメント中心よりに効率よく配置することができ、ムーブメントの小型化が可能である。したがって本発明においては、前記アンテナを前記時計ムーブメントの外周付近に配置し、かつ、前記緩衝突起部と前記時計ケースとの間に隙間を設けている。この隙間により、時計ムーブメントへのアンテナ組込性及び時計ケースへの時計
ムーブメント組込性は従来の電波時計となんら変わることなく、衝撃によるアンテナの破壊の発生しない保持構造が可能となる。
また、時計ムーブメントの多くは円形形状のものが多い為、アンテナ構成上、アンテナ巻枠が最も時計ムーブメント外周に近接する。よって本発明の構成により、最小限の構成で衝撃荷重を受けることが可能となるため、アンテナの小型化が可能である。
【図面の簡単な説明】
【０００７】
【図１】第一の実施形態における、時計ムーブメントの平面図である。
【図２】第一の実施形態における、時計ケース及び時計ムーブメント内のアンテナの位置関係を説明するためのアンテナ部の拡大図であり、Ａ部拡大図はアンテナと時計ケースとの隙部分のより詳細な拡大図である。
【図３】第一の実施形態における、アンテナの構成を説明する図である。図３(ａ)はアンテナ上面図、図３(ｂ)は下面図、図３(ｃ)は図３(ａ)におけるＡ−Ａ断面図である。
【図４】第一の実施形態における、地板へのアンテナの固定を説明するためのアンテナ固定突起部の断面図である。図４(ａ)は、図３(ｂ)におけるＢ−Ｂ断面線による時計ムーブメント３のアンテナ巻枠６ａ側の固定突起部断面、図４(ｂ)は図３(ｂ)におけるＣ−Ｃ断面線による時計ムーブメント３のアンテナ巻枠６ｂ側の固定部断面である。
【図５】本発明の緩衝突起部形状の、第二の実施形態を説明するためのアンテナの斜視図である。
【図６】本発明の緩衝突起部形状をアンテナ巻枠と別体とした場合を説明するためのアンテナ巻枠の斜視図である。
【発明を実施するための形態】
【０００８】
以下、図面を用いて本発明を実施するための第一の実施形態を説明する。はじめに、実施形態におけるアンテナブロックの時計ムーブメントに対する保持構造を、図面を用いて説明する。図１は、時計ムーブメント３を時計裏蓋側から見た平面図である。図２は、時計１の時計ケース２と時計ムーブメント３のアンテナ周辺部の拡大図である。時計ケース２は時計外装２ａと、時計ムーブメント３を時計外装２ａ内に保持する中枠２ｂによって構成される。本実施形態では、時計ケース２は中枠２ｂを含むが、時計外装２ａのみによって時計ムーブメント３を保持してもよい。時計ムーブメント３は時計ケース２内部に収容される。この時計ムーブメント３の地板４上には、指針を駆動するための機構(図示しない)、アンテナ５、二次電池１４、マーク板１６、回路基板１７などが配置されている。なお、図１において、符号１５は、時計ムーブメント３の３時位置に配置されユーザーの操作入力手段となる巻真である。また、本実施形態の地板４は、電波の受信への影響がないように樹脂材料からなるが、受信性能を満足する範囲で金属製などの他の材料を適用してもよい。
【０００９】
次にアンテナ５について説明する。図３はアンテナ５を示す平面図であり、図３(ａ)は上面図、図３(ｂ)は下面図であり、図３(c)は図３(a)におけるＡ−Ａ断面図である。アンテナ５は、平板状のアンテナコア７、絶縁テープ８、絶縁テープ８の上からアンテナコア７の周りに巻回されコイル状にされた巻線９、アンテナ巻枠６ａ、６ｂ、アンテナ巻枠６ａ上に配置されるアンテナ端子シート１０とで構成される。
【００１０】
図３(c)に示すように、アンテナコア７は、アモルファスの薄板の積層や、フェライトなどの磁性部材で構成され、巻線部はコイル巻線形状を均一な厚みで巻回するために断面四角形状の直方体形状である。アンテナコア７の両端部には、樹脂材料等の非磁性部材からなるアンテナ巻枠６ａ、６ｂが接着固定される。アンテナコア７のアンテナ巻枠６ａ、６ｂの接着されていない中央部は、外周に絶縁テープ８を巻きつけることで絶縁される。
【００１１】
巻線９は、絶縁テープの上からアンテナコア７にコイル状に巻回される。巻線９とアン
テナ巻枠６ａ、６ｂとの接触面であるコイル支持面１２ａ、１２ｂは、巻線時にコイルの巻き乱れを防止し、整列巻することでアンテナ性能を安定化する目的のために部分的にコイル外径形状よりも大きい。
【００１２】
図４は時計ムーブメント３とアンテナ５との固定部分の断面図である。アンテナ巻枠６ａ、６ｂの地板と対向する面にはアンテナ５を地板４に挿入固定するための固定突起部１１ａが設けられている。また、アンテナ巻枠６ａの回路基板１７と対向する面にはアンテナ５と回路基板１７との導通部である端子シート１０が接着されている。
【００１３】
図４(ａ)を用いてアンテナ５を時計ムーブメント３に対する固定関係を説明する。時計ムーブメントの基材部品である地板４には、アンテナ固定部１８ａが形成されている。アンテナ5は、アンテナ巻枠６ａに設けた固定突起部１１ａを対応するアンテナ固定部１８ａに挿入することにより、地板４に対してアンテナは平面的に位置決めされる。更に、アンテナの上から回路基板１７を地板に対してねじ固定することで、アンテナ５を地板４及び回路基板１７によって挟み込み断面的に固定する。また、図４(ｂ)に示すように、アンテナ巻枠６ｂ側の固定についても、端子シート１０が無い事を除き同様に固定される。第一の実施形態ではアンテナ固定部１８ａ、１８ｂは、凹形状であるが、貫通穴であってもよい。
【００１４】
第一の実施形態では、時計ムーブメント３は略円形形状である。図２に示すように、略円形形状の時計ムーブメントに対してアンテナ５を極力外周寄りに配置すると、前述したようにアンテナの巻線部９がストレート形状であることから、アンテナ構成要素の中でアンテナ巻枠６ａ、６ｂが最も時計ムーブメント外周に近接した位置に配置される。この構成において、他の構成要素に影響を与えず効率よく緩衝突起部１３ａ、１３ｂを形成可能なのは、アンテナ巻枠６ａ、６ｂの時計ムーブメント外周方向に対向した面である。したがって、緩衝突起部１３ａ、１３ｂはアンテナ巻枠６ａ、６ｂの時計ムーブメント外周方向に形成され、衝撃時に時計ケース内周面との接触によって衝撃荷重を受けアンテナの破壊を防止する。
【００１５】
更に、第一の実施形態では、緩衝突起部１３ａ、１３ｂをコイル支持面１２ａ、１２ｂに設けている。前述したように、アンテナ特性安定化のため、コイル支持面１２ａ、１２ｂは部分的にでもコイル外径よりも大きい方が望ましい。また緩衝突起部１３ａ、１３ｂは時計ムーブメント外周方向に突出する部分であることから、コイル支持面１２ａ、１２ｂに緩衝突起部１３ａ、１３ｂを設けることで互いの機能を兼ねることが可能である。結果的に耐衝撃性だけでなく受信感度ばらつきの軽減にも効果がある。
【００１６】
本発明では、緩衝突起部１３ａ、１３ｂが時計ムーブメント外周から突出してしまった場合、時計ケース２に時計ムーブメント３を収納する工程で、緩衝突起部１３ａ、１３ｂが時計ケース２に引っ掛かる等の組立性低下を回避するため、図２のＡ部拡大図に示すように、緩衝突起部１３ａ、１３ｂと時計ケース２の内周面との間に隙１９ａ、１９ｂを設けている。この構成により、時計に衝撃が加わった際、固定突起部１１ａ、１１ｂに加わった荷重を固定突起部１１ａ、１１ｂが破断に至る前に緩衝突起部１３ａ、１３ｂが時計ケースに接触し支持する事で、固定突起部１１ａ、１１ｂの破断を防ぐことが出来る。具体的には、緩衝突起部１３ａ、１３ｂと外装ケース２の内周面との隙１９ａ、１９ｂは５０μm程度が望ましい。
【００１７】
緩衝突起部１３ａ、１３ｂの形状は、図１〜３では、時計ムーブメントの外周方向に向かって、平面視で台形形状となっているが、図５に示すような球形状であってもよい。緩衝突起部１３ａ、１３ｂをアンテナ巻枠６ａ、６ｂと一体の樹脂材料により形成する場合、台形形状は金型加工において球形状よりも加工容易である。一方、球形状はコイル形成
工程において台形形状よりも巻線が引っ掛かることによる断線リスクが少ない。
緩衝突起部１３ａ、１３ｂはアンテナ巻枠６ａ、６ｂと別体で構成されてもよい。この構成の具体例としては、図６に示すように、アンテナ巻枠６ａ(６ｂ)の側面に設けた緩衝突起部固定穴２０と、緩衝突起部１３ａ(１３ｂ)に設けた緩衝突起部固定突起２１の嵌合によって緩衝突起部１３ａ(１３ｂ)とアンテナ巻枠６ａ(６ｂ)を固定することにより、別体での構成が可能である。緩衝突起部１３ａ、１３ｂとアンテナ巻枠６ａ、６ｂとを別体で構成した場合の緩衝突起部のアンテナ巻枠６ａ、６ｂへの固定方法として、接着による固定方法なども考えられる。
【００１８】
また、緩衝突起部１３ａ、１３ｂをアンテナ巻枠６ａ、６ｂと別体とした場合、緩衝突起部１３ａ、１３ｂは、アンテナ巻枠６ａ、６ｂを構成する樹脂材料と同等かそれ以上の剛性を有した絶縁材料であれば、樹脂以外の材料を使用することも可能である。
【符号の説明】
【００１９】
１・・・・・・・・時計
２ａ、２ｂ・・・・時計ケース
３・・・・・・・・時計ムーブメント
４・・・・・・・・地板
５・・・・・・・・アンテナ
６ａ、６ｂ・・・・アンテナ巻枠
７・・・・・・・・アンテナコア
８・・・・・・・・絶縁テープ
９・・・・・・・・巻線
１０・・・・・・・アンテナ端子シート
１１ａ、１１ｂ・・固定突起部
１２ａ、１２ｂ・・コイル支持面
１３ａ、１３ｂ・・緩衝突起部
１４・・・・・・・二次電池
１５・・・・・・・巻真
１６・・・・・・・マーク板
１７・・・・・・・回路基板
１８ａ、１８ｂ・・アンテナ固定穴１
１９ａ、１９ｂ・・アンテナ緩衝突起部と時計ケース間の隙
２０・・・・・・・緩衝突起部を別体構成する場合の緩衝突起部固定穴
２１・・・・・・・緩衝突起部を別体構成する場合の緩衝突起部固定突起
【図１】
2016173240.tif 000003
【図２】
2016173240.tif 000004
【図３】
2016173240.tif 000005
【図４】
2016173240.tif 000006
【図５】
2016173240.tif 000007
【図６】
2016173240.tif 000008